(57)【要約】【課題】音質調整を容易に行うことができるスピーカを提供する。【解決手段】スピーカ１は、与えられた電圧に応じて長手方向に伸縮する積層圧電アクチュエータ２を備えている。この積層圧電アクチュエータ２の長手方向の一端はベース部材４の主面に接触し、他端は振動板３の主面に接触する。積層圧電アクチュエータ２が振動板３に接触する面積は小さいことから、振動板３に対する積層圧電アクチュエータ２の配置の自由度は高い。このため、振動板３に対する積層圧電アクチュエータ２の位置を変更することで、スピーカ１の音質調整を容易に行うことができる。【選択図】図２
2015115629.tif 000002
【特許請求の範囲】
【請求項１】
スピーカであって、
ベース部材と、
振動して音を発生する振動板と、
前記ベース部材と前記振動板との相互間に配置され、与えられた電圧に応じて長手方向に伸縮する積層圧電アクチュエータと、
を備え、
前記積層圧電アクチュエータは、前記長手方向の一端が前記ベース部材に、他端が前記振動板にそれぞれ接触し、前記長手方向に伸縮することで前記振動板を振動させることを特徴とするスピーカ。
【請求項２】
請求項１に記載のスピーカにおいて、
前記振動板は、素材が異なる複数の板材を含むことを特徴とするスピーカ。
【請求項３】
請求項１または２に記載のスピーカにおいて、
一端が前記ベース部材、他端が前記振動板にそれぞれ固定され、前記ベース部材と前記振動板とを結合する結合部材、
をさらに備えることを特徴とするスピーカ。
【請求項４】
請求項１または２に記載のスピーカにおいて、
前記ベース部材から前記振動板の側に突出して設けられ、第１ネジ山が形成された円筒状の第１突出部と、
前記振動板から前記ベース部材の側に突出して設けられ、第２ネジ山が形成された円筒状の第２突出部と、
をさらに備え、
前記第１ネジ山と前記第２ネジ山とを係合させることで、前記ベース部材と前記振動板とが結合されることを特徴とするスピーカ。
【請求項５】
請求項１または２に記載のスピーカにおいて、
前記ベース部材から前記振動板の側に突出して設けられ、第１ネジ山が形成された円筒状の第１突出部と、
前記振動板から前記ベース部材の側に突出して設けられ、第２ネジ山が形成された円筒状の第２突出部と、
第３ネジ山が形成される円筒部材と、
をさらに備え、
前記第１及び前記第２ネジ山の双方に前記第３ネジ山を係合させることで、前記ベース部材と前記振動板とが結合されることを特徴とするスピーカ。
【発明の詳細な説明】
【技術分野】
【０００１】
本発明は、音を発生するスピーカに関する。
【背景技術】
【０００２】
一般に、スピーカは、永久磁石の近傍に配置されたボイスコイルに音声信号が与えられ、ボイスコイルに連結された振動板が振動することにより音を発生する。このように一般的なスピーカは永久磁石を備えるが、永久磁石は比較的重量が重く、また、永久磁石にはネオジムなどのレアアースが使用される。このため、近年、永久磁石を用いないスピーカが望まれている。
【０００３】
このような永久磁石を用いないスピーカとして、従来より、圧電素子（ピエゾ素子）を用いた圧電型スピーカが知られている（例えば、特許文献１参照。）。図１６は、一般的な圧電型スピーカ９１の主な構造を示す図である。図１６に示すように、圧電型スピーカ９１は、振動板９３に比較的薄い板状の圧電素子部９２を接着剤などで貼り付けた構造を有している。圧電素子部９２としては、１個の圧電素子を用いた構造のモノモルフ型、及び、２個の圧電素子を貼り合わせた構造のバイモルフ型などがある。
【先行技術文献】
【特許文献】
【０００４】
【特許文献１】実開平４−１１９２００号公報
【発明の概要】
【発明が解決しようとする課題】
【０００５】
ところで、上述したような一般的な圧電型スピーカ９１は、振動板９３に圧電素子部９２を貼り付けた構造であるため、振動板９３が自由に振動する部分が少なく、また、振動板９３の共振を助長しやすい。このため一般に、圧電型スピーカ９１は、スピーカとして望ましい音質（周波数特性）を有さない。また、圧電型スピーカ９１は、振動板９３に対する圧電素子部９２の配置の自由度が低いため、振動板９３と圧電素子部９２との配置を変更して音質調整を行うことも難しい。
【０００６】
このため、永久磁石を用いず、かつ、音質調整を容易に行うことができるスピーカが望まれていた。
【０００７】
本発明は、上記課題に鑑みてなされたものであり、音質調整を容易に行うことができるスピーカを提供することを目的とする。
【課題を解決するための手段】
【０００８】
上記課題を解決するため、請求項１の発明は、スピーカであって、ベース部材と、振動して音を発生する振動板と、前記ベース部材と前記振動板との相互間に配置され、与えられた電圧に応じて前記長手方向に伸縮する積層圧電アクチュエータと、を備え、前記積層圧電アクチュエータは、前記長手方向の一端が前記ベース部材に、他端が前記振動板にそれぞれ接触し、前記長手方向に伸縮することで前記振動板を振動させる。
【０００９】
また、請求項２の発明は、請求項１に記載のスピーカにおいて、前記振動板は、素材が異なる複数の板材を含む。
【００１０】
また、請求項３の発明は、請求項１または２に記載のスピーカにおいて、一端が前記ベース部材、他端が前記振動板にそれぞれ固定され、前記ベース部材と前記振動板とを結合する結合部材、をさらに備えている。
【００１１】
また、請求項４の発明は、請求項１または２に記載のスピーカにおいて、前記ベース部材から前記振動板の側に突出して設けられ、第１ネジ山が形成された円筒状の第１突出部と、前記振動板から前記ベース部材の側に突出して設けられ、第２ネジ山が形成された円筒状の第２突出部と、をさらに備え、前記第１ネジ山と前記第２ネジ山とを係合させることで、前記ベース部材と前記振動板とが結合される。
【００１２】
また、請求項５の発明は、請求項１または２に記載のスピーカにおいて、前記ベース部材から前記振動板の側に突出して設けられ、第１ネジ山が形成された円筒状の第１突出部と、前記振動板から前記ベース部材の側に突出して設けられ、第２ネジ山が形成された円筒状の第２突出部と、第３ネジ山が形成される円筒部材と、をさらに備え、前記第１及び前記第２ネジ山の双方に前記第３ネジ山を係合させることで、前記ベース部材と前記振動板とが結合される。
【発明の効果】
【００１３】
請求項１ないし５の発明によれば、積層圧電アクチュエータが長手方向の端部で振動板に対して接触するため、振動板に対する積層圧電アクチュエータの配置の自由度が高い。このため、積層圧電アクチュエータの位置を変更することで、スピーカの音質調整を容易に行うことができる。
【００１４】
また、特に請求項２の発明によれば、振動板が素材が異なる複数の板材を含むため、スピーカの周波数特性のピーク及びディップを抑制できる。また、板材の素材を変更することで、スピーカの音質調整を容易に行うことができる。
【００１５】
また、特に請求項３の発明によれば、結合部材がベース部材と振動板とを結合するため、スピーカの強度を高めることができる。また、結合部材の仕様を変更することで、スピーカの音質調整を容易に行うことができる。
【００１６】
また、特に請求項４の発明によれば、スピーカを容易に組み立てることができる。
【００１７】
また、特に請求項５の発明によれば、スピーカを容易に組み立てることができる。
【図面の簡単な説明】
【００１８】
【図１】図１は、スピーカの構成を示す斜視図である。
【図２】図２は、第１の実施の形態のスピーカの断面を示す断面図である。
【図３】図３は、積層圧電アクチュエータの基本的な構造を示す図である。
【図４】図４は、第２の実施の形態のスピーカの断面を示す断面図である。
【図５】図５は、第３の実施の形態のスピーカの断面を示す断面図である。
【図６】図６は、第４の実施の形態のスピーカの断面を示す断面図である。
【図７】図７は、第４の実施の形態のスピーカの分解図である。
【図８】図８は、第５の実施の形態のスピーカの断面を示す断面図である。
【図９】図９は、第５の実施の形態のスピーカの分解図である。
【図１０】図１０は、スピーカの構成の一例を示す図である。
【図１１】図１１は、保護部材を備えたスピーカの一例を示す図である。
【図１２】図１２は、保護部材を備えたスピーカの一例を示す図である。
【図１３】図１３は、コーン型の振動板を備えるスピーカの一例を示す図である。
【図１４】図１４は、ドーム型の振動板を備えるスピーカの一例を示す図である。
【図１５】図１５は、複合型の振動板を備えるスピーカの一例を示す図である。
【図１６】図１６は、一般的な圧電型スピーカの主な構造を示す図である。
【発明を実施するための形態】
【００１９】
以下、図面を参照しつつ本発明の実施の形態について説明する。
【００２０】
＜１．第１の実施の形態＞
図１は、第１の実施の形態に係るスピーカ１の構成を示す斜視図である。また、図２は、スピーカ１の断面を示す断面図である。なお、以下の説明では、説明の便宜上、断面図の上下に沿った方向を「上下方向」といい、断面図の左右に沿った方向を「水平方向」という。なお、これらの方向を示す用語はあくまで便宜上のものであり、スピーカ１を配置対象に実際に配置する場合においては、以下で説明する「上下方向」が実際の鉛直方向に沿う必要はなく、「水平方向」が実際の水平方向に沿う必要はない。
【００２１】
図１及び図２に示すように、スピーカ１は主に、ベース部材４と、振動板３と、積層圧電アクチュエータ２とを備えている。
【００２２】
ベース部材４は、略円形の主面を有する板状の部材であり、基準部材となる。ベース部材４は、スピーカ１の配置対象に固定される。スピーカ１が、例えば、車両の車室内のインストルメントパネルを配置対象として配置される場合には、ベース部材４はこのインストルメントパネルに固定される。この説明において、ベース部材４の主面は水平方向に沿っている。
【００２３】
振動板３は、振動して音を発生する板状の部材である。振動板３は、略円形の主面を有し、該主面が水平方向に沿うようにベース部材４の上側に配置される。したがって、振動板３の主面とベース部材４の主面とは対向し、略平行に配置される。
【００２４】
振動板３は、２つの板材３１，３２を重ねて構成される。振動板３が含む２つの板材３１，３２は、互いに異なる素材となっている。このような板材３１，３２の素材としては、アルミニウム、鉄、銅などの金属、ＡＢＳ樹脂、アクリル樹脂、ポリカーボネートなどの樹脂、紙及び木材などが考えられる。
【００２５】
振動板３が備える２つの板材３１，３２は、その共振周波数が大きく異なることが望ましい。このため、２つの板材３１，３２の一方が金属の場合は、他方は金属以外の素材（樹脂など）とすることが望ましい。もちろん、互いに異なる素材であれば、２つの板材３１，３２の双方を金属としてもよく、双方を樹脂としてもよい。
【００２６】
積層圧電アクチュエータ２は、与えられた電圧に応じて長手方向に伸縮するアクチュエータである。このような積層圧電アクチュエータは、信号に対する応答性が高く、変位量の精度が高く、また、消費電力が低いという特性を有している。以下、積層圧電アクチュエータ２を、単に「アクチュエータ２」と称する。
【００２７】
図３は、アクチュエータ２の基本的な構造を示す図である。図３に示すように、アクチュエータ２は、例えば、１００個〜２００個の複数の圧電素子（ピエゾ素子）２１を積層して棒状にしたものである。複数の圧電素子２１のそれぞれには電極が配置される。アクチュエータ２は、電圧が変動する信号が電極に与えられると、その信号に応答して、圧電素子２１の積層方向である長手方向（図中の矢印Ａ１の方向）に直線的に伸縮（変位）する。
【００２８】
図１及び図２に示すように、アクチュエータ２は、ベース部材４の主面と振動板３の主面との相互間に配置される。アクチュエータ２は、その長手方向が上下方向に沿うように配置される。したがって、アクチュエータ２の長手方向は、ベース部材４の主面及び振動板３の主面と略直交する。
【００２９】
アクチュエータ２の長手方向の一端はベース部材４の主面に接触し、アクチュエータ２の長手方向の他端は振動板３の主面に接触している。したがって、アクチュエータ２は、電圧が変動する音声信号が与えられるとその音声信号に応じて伸縮し、接触している振動板３を振動させる。これにより、振動板３から音が発生する。このため、スピーカ１は、永久磁石を用いることなく音を発生できる。
【００３０】
また、図に示すように、ベース部材４と振動板３との間には上下方向に延びる複数の支柱５が設けられている。ベース部材４と振動板３とは、結合部材となるこれら複数の支柱５を介して結合される。各支柱５の下端はベース部材４の主面と接触した状態でベース部材４に固定され、各支柱５の上端は振動板３の主面と接触した状態で振動板３に固定される。
【００３１】
各支柱５の下端には雄ネジ６２と係合する雌ネジ５ｂが形成され、各支柱５の上端には雄ネジ６１と係合する雌ネジ５ａが形成される。雄ネジ６２は、ベース部材４の下部から挿入されて支柱５の下端の雌ネジ５ｂと係合し、支柱５の下端をベース部材４に固定する。一方、雄ネジ６１は、振動板３の上部から挿入されて支柱５の上端の雌ネジ５ａと係合し、支柱５の上端を振動板３に固定する。このように、支柱５がベース部材４と振動板３とを結合するため、スピーカ１としての強度を高めることができる。
【００３２】
各支柱５の上下方向の長さは、アクチュエータ２が最も収縮した場合の長手方向の長さよりも短くされている。このため、アクチュエータ２は、ベース部材４の主面と振動板３の主面との間に挟み込まれて固定される。
【００３３】
これにより、アクチュエータ２の長手方向の端部は、接着剤など振動を吸収する素材を介さずに、ベース部材４の主面及び振動板３の主面に直接的に接触する。このため、アクチュエータ２の伸縮を直接的に振動板３に伝達できる。その結果、音声信号の波形を忠実に振動板３の振動に反映でき、振動板３が発生する音に歪みや雑音を生じにくくすることができる。
【００３４】
このように本実施の形態のスピーカ１は、与えられた電圧に応じて長手方向に伸縮するアクチュエータ（積層圧電アクチュエータ）２を備えている。このアクチュエータ２の長手方向の一端はベース部材４の主面に接触し、他端は振動板３の主面に接触する。アクチュエータ２の位置は、振動板３の中心としてもよく、振動板３の中心から外れた位置としてもよい。アクチュエータ２が振動板３に接触する面積は小さいことから、振動板３に対するアクチュエータ２の配置の自由度は高い。このため、開発過程において、振動板３に対するアクチュエータ２の位置を種々に変更することで、スピーカ１の音質調整を容易に行うことができる。その結果、スピーカ１の周波数特性を、該スピーカ１の使用目的に応じて望ましい周波数特性にすることができる。一般には、アクチュエータ２を振動板３の中心から外れた位置に配置したほうが、スピーカ１の周波数特性をフラットな周波数特性にすることができる。
【００３５】
また、振動板３が、素材が異なる２つの板材３１，３２を含むため、一方の板材が共振したとしても他方の板材がその共振を抑制する。このため、スピーカ１の周波数特性のピーク及びディップを抑制でき、スピーカ１の周波数特性をフラットな周波数特性にすることができる。また、開発過程において、２つの板材３１，３２の素材の組み合わせを種々に変更することで、スピーカ１の音質調整を容易に行うことができる。
【００３６】
また、開発過程においては、ベース部材４の素材も変更することができる。さらに、開発過程においては、ベース部材４と振動板３とを結合する結合部材である支柱５の仕様（本数、素材及び位置など）も変更することができる。このように、ベース部材４の素材、及び、支柱５の仕様を種々に変更することで、スピーカ１の音質調整を容易に行うことができる。ベース部材４及び支柱５の素材としては、アルミニウム、鉄、銅などの金属、及び、ＡＢＳ樹脂、アクリル樹脂、ポリカーボネートなどの樹脂などが考えられる。
【００３７】
＜２．他の実施の形態＞
また、ベース部材４と振動板３とを結合する態様を、第１の実施の形態とは異なる態様とすることでも、スピーカ１の音質調整を行うことができる。以下では、ベース部材４と振動板３とを結合する態様が異なる他の実施の形態について説明する。なお、他の実施の形態のスピーカ１の主たる構成は第１の実施の形態とほぼ同様であるため、以下、第１の実施の形態との相違点を中心に説明する。
【００３８】
＜２−１．第２の実施の形態＞
まず、第２の実施の形態について説明する。図４は、第２の実施の形態のスピーカ１の断面を示す断面図である。
【００３９】
第２の実施の形態のスピーカ１においては、第１の実施の形態と比較して、雄ネジ６１の長さが長くなっている。また、結合部材となる複数の支柱５それぞれは筒状となっており、中空の内孔５ｃを有している。さらに、ベース部材４における各支柱５との当接部分には雌ネジ４ａが形成される。
【００４０】
雄ネジ６１は、振動板３の上部から挿入され、支柱５の内孔５ｃを貫通して、ベース部材４の雌ネジ４ａと係合する。これにより、各支柱５の下端はベース部材４、上端は振動板３にそれぞれ固定され、ベース部材４と振動板３とが複数の支柱５を介して結合される。
【００４１】
このように第２の実施の形態のスピーカ１では、一つの雄ネジ６１によって支柱５をベース部材４及び振動板３の双方に固定するため、スピーカ１としての部品数を少なくすることができる。
【００４２】
なお、支柱５の内孔５ｃにネジ山を形成し、雄ネジ６１と係合する雌ネジとして支柱５が機能してもよい。また、上記とは逆に、振動板３に、雄ネジと係合する雌ネジを形成してもよい。この場合は、雄ネジは、ベース部材４の下部から挿入され、支柱５の内孔５ｃを貫通して、振動板３の雌ネジと係合する。
【００４３】
＜２−２．第３の実施の形態＞
次に、第３の実施の形態について説明する。図５は、第３の実施の形態のスピーカ１の断面を示す断面図である。
【００４４】
第３の実施の形態のスピーカ１においては、結合部材となる複数の支柱４１とベース部材４とが単一の部材で構成され一体化されている。これにより、各支柱４１の下端はベース部材４に固定される。
【００４５】
また、各支柱４１の上端には雌ネジ４１ａが形成される。雄ネジ６１は、振動板３の上部から挿入されて支柱４１の上端の雌ネジ４１ａと係合し、支柱４１の上端を振動板３に固定する。これにより、ベース部材４と振動板３とが複数の支柱４１を介して結合される。
【００４６】
このように第３の実施の形態のスピーカ１では、ベース部材４と複数の支柱４１とが一体化される。そして、各支柱４１の上端の固定にのみ雄ネジ６１を用いるため、スピーカ１としての部品数を少なくすることができる。なお、上記とは逆に、振動板３の下側の板材３２と複数の支柱とを単一の部材で構成して一体化し、各支柱の下端の固定にのみ雄ネジを用いるようにしてもよい。
【００４７】
＜２−３．第４の実施の形態＞
次に、第４の実施の形態について説明する。図６は、第４の実施の形態のスピーカ１の断面を示す断面図である。第４の実施の形態のスピーカ１は、独立した部品としての雄ネジ６１，６２を用いずにベース部材４と振動板３とが結合される。
【００４８】
図７は、第４の実施の形態のスピーカ１の分解図（断面図）である。第４の実施の形態のスピーカ１では、ベース部材４において該ベース部材４の主面から上側（振動板３の側）に突出するように第１突出部４２が設けられている。第１突出部４２は、上下方向から見た断面が円形で中空の円筒状となっている。
【００４９】
ベース部材４と第１突出部４２とは単一の部材で構成され一体化されている。これにより、第１突出部４２の下端はベース部材４に固定される。第１突出部４２の内周にはネジ山４２ａが形成され、第１突出部４２は全体として雌ネジとして機能する。
【００５０】
また、振動板３において該振動板３の主面から下側（ベース部材４の側）に突出するように第２突出部３３が設けられている。第２突出部３３も、上下方向から見た断面が円形で中空の円筒状となっている。
【００５１】
振動板３の下側の板材３２と第２突出部３３とは単一の部材で構成され一体化されている。これにより、第２突出部３３の上端は振動板３に固定される。第２突出部３３の外周の径は、第１突出部４２の内周の径と略一致している。この第２突出部３３の外周にはネジ山３３ａが形成され、第２突出部３３は全体として雄ネジとして機能する。
【００５２】
第４の実施の形態のスピーカ１を組み立てる場合は、ベース部材４と振動板３との間にアクチュエータ２を配置し、ベース部材４の上側から振動板３を当接させる。そして、上下方向に沿った軸を中心に、ベース部材４に対して相対的に振動板３を所定方向に回転させる。
【００５３】
これにより、図６に示すように、雌ネジとしての第１突出部４２のネジ山４２ａに、雄ネジとしての第２突出部３３のネジ山３３ａが係合する。その結果、第１突出部４２及び第２突出部３３が結合部材となり、ベース部材４と振動板３とが結合される。アクチュエータ２はベース部材４の主面と振動板３の主面との間に挟み込まれて固定される。
【００５４】
このように第４の実施の形態のスピーカ１では、独立した部品としての雄ネジ６１，６２を用いずにベース部材４と振動板３とを結合できるため、スピーカ１を容易に組み立てることができる。なお、上記とは逆に、第１突出部４２を雄ネジ、第２突出部３３を雌ネジとしてそれぞれ機能させてもよい。
【００５５】
＜２−４．第５の実施の形態＞
次に、第５の実施の形態について説明する。図８は、第５の実施の形態のスピーカ１の断面を示す断面図である。第５の実施の形態のスピーカ１も、独立した部品としての雄ネジ６１，６２を用いずにベース部材４と振動板３とが結合される。
【００５６】
図９は、第５の実施の形態のスピーカ１の分解図（断面図）である。第５の実施の形態のスピーカ１では、ベース部材４において該ベース部材４の主面から上側（振動板３の側）に突出するように第１突出部４３が設けられている。第１突出部４３は、上下方向から見た断面が円形で中空の円筒状となっている。
【００５７】
ベース部材４と第１突出部４３とは単一の部材で構成され一体化されている。これにより、第１突出部４３の下端はベース部材４に固定される。第１突出部４３の内周にはネジ山４３ａが形成され、第１突出部４３は全体として雌ネジとして機能する。
【００５８】
また、振動板３において該振動板３の主面から下側（ベース部材４の側）に突出するように第２突出部３４が設けられている。第２突出部３４も、上下方向から見た断面が円形で中空の円筒状となっている。
【００５９】
振動板３の下側の板材３２と第２突出部３４とは単一の部材で構成され一体化されている。これにより、第２突出部３４の上端は振動板３に固定される。第２突出部３４の内周の径は、第１突出部４２の内周の径と略一致している。この第２突出部３４の内周にはネジ山３４ａが形成され、第２突出部３４も全体として雌ネジとして機能する。
【００６０】
また、第５の実施の形態のスピーカ１は、上下方向から見た断面が円形で中空の円筒部材であるスペーサ７を備えている。スペーサ７の上下端は開口している。スペーサ７の外周の径は、第１突出部４２及び第２突出部３４の内周の径と略一致している。このスペーサ７の外周にはネジ山７ａが形成され、スペーサ７は全体として雄ネジとして機能する。スペーサ７の素材としては、アルミニウム、鉄、銅などの金属、及び、ＡＢＳ樹脂、アクリル樹脂、ポリカーボネートなどの樹脂などが考えられる。
【００６１】
第５の実施の形態のスピーカ１を組み立てる場合は、スペーサ７の内部にアクチュエータ２を配置し、スペーサ７の下側からベース部材４を当接させ、スペーサ７の上側から振動板３を当接させる。そして、上下方向に沿った軸を中心に、スペーサ７に対して相対的にベース部材４及び振動板３をそれぞれ所定方向に回転させる。
【００６２】
これにより、図８に示すように、雌ネジとしての第１突出部４３のネジ山４３ａ、及び、雌ネジとしての第２突出部３４のネジ山３４ａの双方に、雄ネジとしてのスペーサ７のネジ山７ａが係合する。その結果、第１突出部４３、第２突出部３４及びスペーサ７が結合部材となり、ベース部材４と振動板３とが結合される。アクチュエータ２は、スペーサ７に内包された状態で、ベース部材４の主面と振動板３の主面との間に挟み込まれて固定される。
【００６３】
このように第５の実施の形態のスピーカ１では、独立した部品としての雄ネジ６１，６２を用いずにベース部材４と振動板３とを結合できるため、スピーカ１を容易に組み立てることができる。なお、上記とは逆に、第１突出部４３及び第２突出部３４を雄ネジ、スペーサ７を雌ネジとしてそれぞれ機能させてもよい。
【００６４】
＜３．変形例＞
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００６５】
上記実施の形態では、スピーカ１が支柱５などの結合部材を備え、ベース部材４と振動板３とが結合部材を介して結合されていた。これに対して、図１０に示すように、スピーカ１が結合部材を備えていなくてもよい。この場合においても、アクチュエータ２の端部は、振動を吸収する接着剤を介さずに、ベース部材４の主面及び振動板３の主面に直接的に接触することが望ましい。このため、この場合は例えば、図１０に示すように、アクチュエータ２の端部の外周に接着剤Ｂを付着することで、アクチュエータ２の端部とベース部材４及び振動板３の主面とを接合することが望ましい。
【００６６】
また、スピーカ１は振動板３を保護する保護部材を備えていてもよい。図１１及び図１２は、保護部材となるグリル８を備えたスピーカ１の一例を示している。グリル８は、振動板３と異物との接触を防ぐため、振動板３の上部を覆うように配置される。グリル８、例えば、雄ネジ６１によって振動板３とともに支柱５に固定される。
【００６７】
また、上記実施の形態では、配置対象に固定されるベース部材４が板状の部材であるとして説明したが、ベース部材４は振動板３に対向する主面を有すれば板状の部材でなくてもよい。
【００６８】
また、上記実施の形態では、振動板３は２つの板材３１，３２で構成されていたが、１つの板材で構成してもよい。逆に、振動板３は、３以上の板材で構成してもよい。振動板３が３以上の板材を含む場合は、これら３以上の板材の素材が互いに異なることが望ましい。また、上記実施の形態では、振動板３の主面の形状は略円形であったが、楕円形や矩形など他の形状であってもよい。
【００６９】
また、上記実施の形態では、平面の板材で構成される振動板３が採用されていたが、他のタイプの振動板を採用してもよい。例えば、図１３に示すように、コーン型の振動板３３を採用してもよい。この場合は、アクチュエータ２の長手方向の一端が振動板３３の中央部に接触し、アクチュエータ２が長手方向に伸縮することで振動板３３を振動させる。また、図１４に示すように、ドーム型の振動板３４を採用してもよい。この場合は、アクチュエータ２の長手方向の一端が振動板３４の中央部に接触し、アクチュエータ２が長手方向に伸縮することで振動板３４を振動させる。
【００７０】
また、タイプが異なる振動板を組み合わせた複合型の振動板を採用してもよい。例えば、図１５に示すように、平面の板材で構成される振動板３６とドーム型の振動板３７とを重ねて組み合わせた振動板３５などを採用できる。タイプが異なる振動板同士では周波数特性が大きく異なるため、このような複合型の振動板を採用することでスピーカ１の周波数特性をフラットな周波数特性にすることができる。
【符号の説明】
【００７１】
１    スピーカ
２    アクチュエータ
３    振動板
４    ベース部材
５    支柱
７    スペーサ
【図１】
2015115629.tif 000003
【図２】
2015115629.tif 000004
【図３】
2015115629.tif 000005
【図４】
2015115629.tif 000006
【図５】
2015115629.tif 000007
【図６】
2015115629.tif 000008
【図７】
2015115629.tif 000009
【図８】
2015115629.tif 000010
【図９】
2015115629.tif 000011
【図１０】
2015115629.tif 000012
【図１１】
2015115629.tif 000013
【図１２】
2015115629.tif 000014
【図１３】
2015115629.tif 000015
【図１４】
2015115629.tif 000016
【図１５】
2015115629.tif 000017
【図１６】
2015115629.tif 000018